(57)【要約】【課題】１台の携帯電話装置を複数の利用者が個別に利用でき、プライバシー保護やセキュリティの確保を好適に行うことができるようにする。【解決手段】ＩＣカードＢが挿入されていない状態では、利用者が携帯電話機Ａの電源ボタンを押しても電源ＯＮにならない。携帯電話機ＡのカードスロットＡ１にＩＣカードＢを差し込み、電源ボタンを押すと電源ＯＮにすることができる。電源がＯＮになると、自動的にＩＣチップＢ１から、データ読み書き部Ａ２が情報を読み込む。ＩＣチップＢ１には、初期状態では自局電話番号１１と、自メールアドレス１２が記憶されている。利用者が通話、電話帳への電話番号登録、メールアドレス登録、メール送受信などを行うことにより、それらの情報が差分情報としてＩＣチップＢ１に書き込まれ、携帯電話機Ａから消去される。【選択図】        図１
2004172885.tif 000002
【特許請求の範囲】
【請求項１】
個人情報を用いて動作可能な携帯電話装置であって、
外部記憶媒体を通信可能に接続させる接続手段と、
前記接続手段に接続された前記外部記憶媒体に前記接続手段を介して個人情報を書き込むと共に、前記外部記憶媒体から前記接続手段を介して所要の個人情報を読み出す書き込み／読み出し手段と、
前記書き込み／読み出し手段により読み出された個人情報に基づいて前記携帯電話装置の動作を制御する制御手段とを備えたことを特徴とする携帯電話装置。
【請求項２】
前記外部記憶媒体に記憶される個人情報は、
メールアドレスと、該メールアドレスによるメールの送受信に関して利用者個人に関連づけられて前記携帯電話装置または前記外部記憶媒体に保存される全ての情報を含み、
前記制御手段は、前記外部記憶媒体が前記接続手段に接続されていない場合には、該個人情報を前記携帯電話装置に保持しないことを特徴とする請求項１記載の携帯電話装置。
【請求項３】
前記外部記憶媒体に記憶される個人情報は、
電話番号と、該電話番号での通話に関して利用者個人に関連づけられて前記携帯電話装置または前記外部記憶媒体に保存される全ての情報を含み、
前記制御手段は、前記外部記憶媒体が前記接続手段に接続されていない場合には、該個人情報を前記携帯電話装置に保持しないことを特徴とする請求項１または２記載の携帯電話装置。
【請求項４】
前記制御手段は、前記外部記憶媒体が前記接続手段に接続されていないと、前記携帯電話装置の電源をＯＦＦにすることを特徴とする請求項１から３の何れか１項に記載の携帯電話装置。
【請求項５】
前記外部記憶媒体は、カード側記憶部を備えた記憶機能付きカードであり、
前記接続手段は、前記記憶機能付きカードを挿脱可能なカードスロットであることを特徴とする請求項１から４の何れか１項に記載の携帯電話装置。
【請求項６】
前記カード側記憶部は、ＩＣチップであり、前記記憶機能付きカードに実装されていることを特徴とする請求項５記載の携帯電話装置。
【請求項７】
個人情報を用いて動作可能な携帯電話装置と、該携帯電話装置に接続／取り外し可能な外部記憶媒体とからなる携帯電話システムであって、
前記携帯電話装置は、
前記外部記憶媒体を通信可能に接続させる接続手段と、
前記接続手段に接続された前記外部記憶媒体に前記接続手段を介して個人情報を書き込むと共に、前記外部記憶媒体から前記接続手段を介して所要の個人情報を読み出す書き込み／読み出し手段と、
前記書き込み／読み出し手段により読み出された個人情報に基づいて前記携帯電話装置の動作を制御する制御手段とを備えたことを特徴とする携帯電話システム。
【請求項８】
前記外部記憶媒体に記憶される個人情報は、
メールアドレスと、該メールアドレスによるメールの送受信に関して利用者個人に関連づけられて前記携帯電話装置または前記外部記憶媒体に保存される全ての情報を含み、
前記制御手段は、前記外部記憶媒体が前記接続手段に接続されていない場合には、該個人情報を前記携帯電話装置に保持しないことを特徴とする請求項７記載の携帯電話システム。
【請求項９】
前記外部記憶媒体に記憶される個人情報は、
電話番号と、該電話番号での通話に関して利用者個人に関連づけられて前記携帯電話装置または前記外部記憶媒体に保存される全ての情報を含み、
前記制御手段は、前記外部記憶媒体が前記接続手段に接続されていない場合には、該個人情報を前記携帯電話装置に保持しないことを特徴とする請求項７または８記載の携帯電話システム。
【請求項１０】
前記制御手段は、前記外部記憶媒体が前記接続手段に接続されていないと、前記携帯電話装置の電源をＯＦＦにすることを特徴とする請求項７から９の何れか１項に記載の携帯電話システム。
【請求項１１】
前記外部記憶媒体は、カード側記憶部を備えた記憶機能付きカードであり、
前記接続手段は、前記記憶機能付きカードを挿脱可能なカードスロットであることを特徴とする請求項７から１０の何れか１項に記載の携帯電話システム。
【請求項１２】
前記カード側記憶部は、ＩＣチップであり、前記記憶機能付きカードに実装されていることを特徴とする請求項１１記載の携帯電話システム。
【発明の詳細な説明】
【０００１】
【発明の属する技術分野】
本発明は、設定情報などを利用者が登録することができる携帯電話装置および携帯電話システムに関する。
【０００２】
【従来の技術】
一般に、携帯電話装置は個人毎の所有によるものであり、それぞれの携帯電話装置に、所有者の電話番号などの固有の情報や、所有者自身が設定した設定情報や記憶させた情報などが格納されている。
【０００３】
また、特許第３２９３７９１号公報（特許文献１）のものは、機器環境設定条件を通話端末用携帯メモリに記憶させ、その記憶された設定条件を電話機に読み取らせて設定を反映させるものである。
このことにより、どの電話機であっても同じ設定条件で使用できるようになる、としている。
【０００４】
また、特開平１０−２９４７５６号公報（特許文献２）の電子メール端末装置は、データ入力部から入力された操作データを暗号化してメモリカードに記憶させ、利用時にはメモリカードを接続させ、パスワードにより照合を行い、そのパスワードが正しい場合にメールデータの送信及び受信を行うものである。
【０００５】
【特許文献１】
特許第３２９３７９１号公報
【特許文献２】
特開平１０−２９４７５６号公報
【０００６】
【発明が解決しようとする課題】
しかしながら、従来の携帯電話装置では、例えば家族などで、複数台（人数分）の携帯電話装置を購入して使用することが経済的に困難である場合がある。また、使用頻度などによって、その家族内で複数台を所有するよりも、その家族で１台を共有する方が経済性などにより好ましい場合がある。
こうした場合、１台の携帯電話装置を複数の利用者で使用すると、メールアドレスを他の利用者に不正に使用される虞があると共に、使用する各個人が設定した設定情報や記憶させた情報が他の利用者に見られてしまう虞もあり、プライバシー保護やセキュリティの点で問題が生じていた。
【０００７】
また、上記した特許文献１は、本来の目的を達している点で好適なものであるが、機器環境設定条件を電話機に反映させるものであり、１台の端末装置を複数の利用者が利用する場合のプライバシー保護やセキュリティの確保を目的としたものではない。また、通話端末用携帯メモリに記憶させるのは機器環境設定条件であり、電話機本体に残るデータがあるため、上記したプライバシー保護やセキュリティの確保を考慮して１台の端末装置を複数の利用者で利用する場合まで考慮されたものではない。
【０００８】
また、上記した特許文献２は、メモリカードに記憶させた操作データを暗号化して機密性を高めることができる好適なものであるが、メモリカードに記憶させるのはデータ入力部から入力された操作データであり、電話機本体に残るデータがあるため、上記したプライバシー保護やセキュリティの確保を考慮して１台の端末装置を複数の利用者が利用する場合まで考慮されたものではない。
【０００９】
本発明はこのような状況に鑑みてなされたものであり、１台の携帯電話装置を複数の利用者が個別に利用でき、プライバシー保護やセキュリティの確保を好適に行うことができる携帯電話装置および携帯電話システムを提供することである。
【００１０】
【課題を解決するための手段】
かかる目的を達成するために、本発明は以下の特徴を有する。
請求項１記載の発明は、個人情報を用いて動作可能な携帯電話装置であって、外部記憶媒体を通信可能に接続させる接続手段と、接続手段に接続された外部記憶媒体に接続手段を介して個人情報を書き込むと共に、外部記憶媒体から接続手段を介して所要の個人情報を読み出す書き込み／読み出し手段と、書き込み／読み出し手段により読み出された個人情報に基づいて携帯電話装置の動作を制御する制御手段とを備えたことを特徴とする。
【００１１】
請求項２記載の発明は、上記した外部記憶媒体に記憶される個人情報が、メールアドレスと、該メールアドレスによるメールの送受信に関して利用者個人に関連づけられて携帯電話装置または外部記憶媒体に保存される全ての情報を含み、制御手段は、外部記憶媒体が接続手段に接続されていない場合には、該個人情報を携帯電話装置に保持しないことを特徴とする。
【００１２】
請求項３記載の発明は、上記した外部記憶媒体に記憶される個人情報が、電話番号と、該電話番号での通話に関して利用者個人に関連づけられて携帯電話装置または外部記憶媒体に保存される全ての情報を含み、制御手段は、外部記憶媒体が接続手段に接続されていない場合には、該個人情報を携帯電話装置に保持しないことを特徴とする。
【００１３】
請求項４記載の発明は、上記した制御手段が、外部記憶媒体が接続手段に接続されていないと、携帯電話装置の電源をＯＦＦにすることを特徴とする。
【００１４】
請求項５記載の発明は、上記の外部記憶媒体が、カード側記憶部を備えた記憶機能付きカードであり、上記の接続手段は、記憶機能付きカードを挿脱可能なカードスロットであることを特徴とする。
【００１５】
請求項６記載の発明は、上記のカード側記憶部が、ＩＣチップであり、記憶機能付きカードに実装されていることを特徴とする。
【００１６】
請求項７記載の発明は、個人情報を用いて動作可能な携帯電話装置と、該携帯電話装置に接続／取り外し可能な外部記憶媒体とからなる携帯電話システムであって、携帯電話装置は、外部記憶媒体を通信可能に接続させる接続手段と、接続手段に接続された外部記憶媒体に接続手段を介して個人情報を書き込むと共に、外部記憶媒体から接続手段を介して所要の個人情報を読み出す書き込み／読み出し手段と、書き込み／読み出し手段により読み出された個人情報に基づいて携帯電話装置の動作を制御する制御手段とを備えたことを特徴とする。
【００１７】
請求項８記載の発明は、上記した外部記憶媒体に記憶される個人情報が、メールアドレスと、該メールアドレスによるメールの送受信に関して利用者個人に関連づけられて携帯電話装置または外部記憶媒体に保存される全ての情報を含み、制御手段は、外部記憶媒体が接続手段に接続されていない場合には、該個人情報を携帯電話装置に保持しないことを特徴とする。
【００１８】
請求項９記載の発明は、上記した外部記憶媒体に記憶される個人情報が、電話番号と、該電話番号での通話に関して利用者個人に関連づけられて携帯電話装置または外部記憶媒体に保存される全ての情報を含み、制御手段は、外部記憶媒体が接続手段に接続されていない場合には、該個人情報を携帯電話装置に保持しないことを特徴とする。
【００１９】
請求項１０記載の発明は、上記した制御手段が、外部記憶媒体が接続手段に接続されていないと、携帯電話装置の電源をＯＦＦにすることを特徴とする。
【００２０】
請求項１１記載の発明は、上記の外部記憶媒体が、カード側記憶部を備えた記憶機能付きカードであり、上記の接続手段は、記憶機能付きカードを挿脱可能なカードスロットであることを特徴とする。
【００２１】
請求項１２記載の発明は、上記のカード側記憶部が、ＩＣチップであり、記憶機能付きカードに実装されていることを特徴とする。
【００２２】
【発明の実施の形態】
次に、本発明に係る携帯電話装置および携帯電話システムを、図面を用いて詳細に説明する。
本実施形態としての携帯電話システムは、１台の携帯電話機を複数の利用者で利用できるように記憶媒体を搭載したカードに情報を記憶させ、またセキュリティ問題も考慮したうえで記憶媒体にＩＣチップを採用し、１台の携帯電話機を複数の利用者が個別に利用できる好適なものを例示している。
【００２３】
本発明の実施形態としての携帯電話システムは、図１から図３に示すように、個別（利用者別）の情報を蓄積するＩＣチップ（カード側記憶部）Ｂ１を搭載したＩＣカード（記憶機能付きカード）Ｂと、そのＩＣカードＢを挿脱可能なカードスロット（接続手段）Ａ１を備えた携帯電話機Ａとを備えてなる。
この携帯電話機Ａは、図１に示すように、ＩＣカードＢが挿入されていない状態では電源がＯＮにならないようになっている。
図２に示すように、カードスロットＡ１にＩＣカードＢが装着されたことにより、使用可能（電源ＯＮ）となり、待ち受け状態になる。ＩＣカードＢを取り外すと、使用不能（電源ＯＦＦ）となる。
ここで、上記のカードスロットＡ１へのＩＣカードＢの装着とは、カードスロットＡ１にＩＣカードＢが挿入されることでＩＣチップＢ１が携帯電話機Ａに接続され、携帯電話機ＡからＩＣチップＢ１が読み込み可能となることを指す。
【００２４】
本実施形態としての携帯電話機Ａは、図３に示すように、上記のカードスロットＡ１と、そのカードスロットＡ１に装着されたＩＣカードＢのＩＣチップＢ１に対して個人情報の書き込みや読み出しをカードスロットＡ１を介して行うデータ読み書き部（書き込み／読み出し手段）Ａ２と、読み出された個人情報などを用いて携帯電話機Ａの動作を制御する制御部Ａ３（ＣＰＵなど）と、電話番号やメールアドレスなどを記憶する装置側記憶部Ａ４と、利用者が入力を行う入力部Ａ５（ボタンなど）と、操作に関する情報など各種情報を表示する表示部Ａ６（ディスプレイなど）とを備える。
この携帯電話機Ａは、上記の各部（各機能）を実現すると共に、携帯電話機としての各種機能を実現するための所要の電子回路（不図示）を備えている。また、電話機能やメールの送受信など、携帯電話機としての機能は周知のものである。
【００２５】
ＩＣカードＢは、上記のデータ読み書き部Ａ２の処理により、そのＩＣカードＢの持ち主である利用者に関する各種の個人情報をＩＣチップＢ１に記憶する。この個人情報とは、本実施形態としての携帯電話システムの利用に関して、利用者個人に関連づけられて保存されるものであり、例えばその利用者の電話番号（自局電話番号）、メールアドレス（自メールアドレス）、その利用者による登録電話番号、登録メールアドレス、発着信履歴、送受信メール内容、などである。
【００２６】
図４及び図５を参照すると、図４において、初期状態のＩＣチップＢ１には、自局電話番号１１と自メールアドレス１２のみが記憶されている。すなわち、携帯電話機Ａを使用するに当たっての最低限の個人情報があらかじめ記憶されている。
【００２７】
図５は、初期状態のＩＣカードＢが携帯電話機Ａに挿入され、利用が重ねられた状態のＩＣカードＢとそのＩＣチップＢ１の記憶情報を示している。
利用者が携帯電話機Ａに自身のＩＣカードＢを装着して利用を重ねていくごとに、携帯電話機Ａ本体には、電話番号やメールアドレスが装置側記憶部Ａ４の電話帳・メールアドレスメモリに登録されていく。また、利用者が電子メールの送受信を行うと、送受信メールが装置側記憶部Ａ４の電子メールＡＰに保存されていく。
このように、初期状態と異なる情報（差分情報）が発生した場合には、携帯電話機Ａのデータ読み書き部Ａ２が、制御部Ａ３の制御により、ＩＣカードＢのＩＣチップＢ１に、装置側記憶部Ａ４の電話帳・メールアドレスメモリの内容と、電子メールの受信メールとをＩＣチップＢ１に速やかに書き込む。すなわち、発生した差分情報をＩＣチップＢ１に速やかに書き込む。
このことにより、ＩＣカードＢには、利用中の携帯電話機Ａと同様の情報を保つことが可能となる。
【００２８】
また、図５の状態で、利用者が電話帳・メールアドレスのグループ２（１６）に新規に相手先電話番号２−３と相手先メールアドレス２−３とを登録すると、図６に示すように、ＩＣチップＢ１における電話帳・メールアドレス記憶部分のグループ２（１６）に、その相手先電話番号２−３と相手先メールアドレス２−３と（１６−３）が新規追加される。
【００２９】
このように、本実施形態としての携帯電話機Ａは、記憶媒体（ＩＣチップ）を搭載したカードを用いて、個人認証判別機能を有することで、１台の携帯電話機Ａを複数の利用者が個別に利用できるものである。
【００３０】
次に、本実施形態としての携帯電話システムにおける動作の概要について説明する。
【００３１】
図１に示すように、ＩＣカードＢが挿入されていない状態では、利用者が携帯電話機Ａの電源ボタンを押しても電源ＯＮにならない。電源をＯＮにするためには、図２に示すように、携帯電話機ＡのカードスロットＡ１にＩＣカードＢを差し込み、電源ボタンを押すと電源ＯＮにすることができる。電源がＯＮになると、自動的にＩＣカードＢに搭載されたＩＣチップＢ１から、データ読み書き部Ａ２が情報を読み込み、制御部Ａ３に転送する。
また、ＩＣカードＢが携帯電話機Ａから取り外されて図１の状態となると、携帯電話機Ａは電源ＯＦＦになる。
【００３２】
図４において、ＩＣチップＢ１には、初期状態では自局電話番号１１と、自メールアドレス１２が記憶されている。利用者が通話、電話帳への電話番号登録、メールアドレス登録、メール送受信などを行うことにより、差分情報として、例えば図５に示すように、ＩＣチップＢ１における発着信履歴、電話帳・メールアドレスの記憶部分に、相手先電話番号、相手先メールアドレス、受信電子メールなどが記憶されていく。
【００３３】
図５の例では、利用者が使用を重ねることにより、ＩＣチップＢ１における電話帳・メールアドレスの記憶部分に、グループなしの相手先電話番号１及び相手先メールアドレス１（１４）が記憶され、グループ１（１５）として、２件の相手先電話番号と相手先メールアドレスとが記憶されている。グループ２（１６）にも、グループ１（１５）と同様に２件の相手先電話番号と相手先メールアドレスとが記憶されている。
また、受信した電子メールの内容も電子メール記憶部分１７及び１８に記憶される。
なお、ＩＣチップＢ１に個人情報が記憶されるのは、利用者の使用により、新たなデータや削除されたデータなどの差分データが発生したときである。そして、そうした個人情報は、ＩＣカードＢがカードスロットＡ１から取り外されるまでに携帯電話機Ａから全て消去される。すなわち、ＩＣカードＢがカードスロットＡ１から取り外されると、上記個人情報は携帯電話機Ａには残らない。
【００３４】
このようにして、本実施形態としての携帯電話システムでは、利用者毎のＩＣカードＢを備えることで、カードスロット付き携帯電話の１台を複数の人が個別に利用できる。
【００３５】
次に、本実施形態の携帯電話機Ａの動作を、図７に示すフローチャートを使用して詳細に説明する。
【００３６】
まず、制御部Ａ３は、ＩＣカード挿入判断工程として、ＩＣカードＢが携帯電話機ＡのカードスロットＡ１に差し込まれているか否か（装着されているか否か）を判断する（ステップＳ１）。差し込まれていなければ差し込まれるのを待ち、差し込まれていれば電源ＯＮを可能とする（ステップＳ２）。
電源がＯＮになると、データ読み書き部Ａ２は、データ読出工程として、ＩＣカードＢに実装されたＩＣチップＢ１から携帯電話機Ａに関する情報を読み出し、制御部Ａ３に渡す（ステップＳ３）。
データ読出が完了した後、制御部Ａ３がデータ読み書き部Ａ２から読み出された個人情報を受け取ると、その個人情報に基づいて携帯電話機Ａは待受画面の状態となり、利用者が使用可能な状態に遷移する（ステップＳ４）。すなわち、その利用者の電話番号やメールアドレスなどの個人情報に基づいて電話やメールの着信及び発信などが可能な状態となる。
【００３７】
利用者が使用することにより（ステップＳ５）、電話番号や受信メールなどの差分データが携帯電話機Ａに存在する可能性が生じると、制御部Ａ３は、差分データ判断工程として、差分データが携帯電話機Ａに存在するか否か（データ書き込みを行うか否か）の判断を行う（ステップＳ６）。差分データが存在しない場合はデータの書き込みを行わず（ステップＳ６；ＮＯ）、差分データが存在した場合は（ステップＳ６；ＹＥＳ）、データ書き込みを行う（ステップＳ７）。
【００３８】
データ書き込み後、制御部Ａ３は、ＩＣカード取出判断工程として、ＩＣカードＢがカードスロットＡ１から取り外されたか否かを判断し（ステップＳ８）、取り外されていなかったら（ステップＳ８；ＮＯ）、待受画面の状態（ステップＳ４）に遷移する。ＩＣカードＢが取り外された場合は（ステップＳ８；ＹＥＳ）、携帯電話機Ａの使用を禁止するため、電源ＯＦＦ処理を行い電源断にする（ステップＳ９）。
電源断後は、同一のＩＣカードを用いることも可能であるし、別の利用者が自身のＩＣカードを利用することも可能である。
【００３９】
上述した一連の動作で、制御部Ａ３は、ＩＣカードＢがカードスロットＡ１から取り外された後に携帯電話機ＡにＩＣチップＢ１に記憶されていた上記個人情報を残さないよう、この個人情報の全てを携帯電話機Ａから消去する。この消去は、上述したステップＳ７のデータ書き込みのたびに、書き込んだ差分データを消去してもよく、上述したステップＳ８の判断で、取り外されていると判断した際（ステップＳ８；ＹＥＳ）にまとめて消去してもよい。
【００４０】
また、ＩＣカードＢがカードスロットＡ１から取り外されると、制御部Ａ３は、上述のステップＳ９のように携帯電話機Ａを電源ＯＦＦ状態にするため、ＩＣカードＢがカードスロットＡ１に装着されていない状態では、携帯電話機Ａを利用する何れかの利用者宛の着信がある場合にも、携帯電話機Ａはその着信を通常の着信として処理しない。
この場合には、その発信者に対して、「お客様がおかけになった電話番号は、個別認証カードが挿入されていないため、現在着信できない状態にあります」といった旨のメッセージを返信することとしてもよい。また、この場合に該メッセージを電話局から発信者宛に返信するサービスを用いることとしてもよい。
【００４１】
以上により、本実施形態としての携帯電話システムによれば、以下に記載するような効果を奏する。
第１の効果は、携帯電話機にＩＣカードスロットを具備しているので、専用のＩＣカードを用いることにより、１台の携帯電話機を複数の利用者が個別に、プライバシー保護やセキュリティの確保をして利用できることである。
【００４２】
従来の携帯電話機を複数の利用者で共有すると、電話番号が共通であるため、電話料金の支払いが共通となってしまい、支払い料金を公平に分配するのが面倒となってしまっていたが、本実施形態としての携帯電話機によれば、電話番号を利用者ごとに別々にすることができるため、各利用者ごとに各自の利用分のみ料金を支払う個別支払いとすることができる。
【００４３】
また、携帯電話機ＡまたはＩＣカードＢに保存される個人情報を、ＩＣチップＢ１に全て記憶させ、ＩＣカードＢがカードスロットＡ１から取り外された後には携帯電話機Ａに残さないため、１台の携帯電話機Ａを複数の利用者が利用する場合であっても、プライバシー保護やセキュリティ確保を行うことができる。
【００４４】
第２の効果は、ＩＣチップは情報機密に優れているため、個人情報などのデータセキュリティが優れていることである。
【００４５】
なお、上述した各実施形態は、本発明の好適な実施形態であり、本発明の主旨を逸脱しない範囲内において、種々変形して実施することが可能である。
○  例えば、カードに配設されて個人情報を記憶する記憶媒体として、ＩＣチップに替えて磁気カードを利用してもよい。ただし、磁気カードは、銀行のキャッシュカードやクレジットカードなどで利用されている情報記憶媒体であるが、セキュリティの問題性が最近指摘されつつあるのが難点である。
○  また、上述した実施形態でのＩＣチップの実装は表面実装として説明しているが、カードに情報記憶可能に実装されていればこの位置に限定されない。例えば、東日本旅客鉄道株式会社により最近システム運用を開始したＳｕｉｃａ（登録商標）システムなどで利用されているように、チップをカード内部に実装し、間接読み取り型のＩＣチップカードを用いても良い。この内蔵型とすることにより、カードへの外部からの衝撃に対する抵抗力が向上することも特筆できる。
○  また、カードに配設されて個人情報を記憶する記憶媒体として、最近増加しつつある、薄膜の読み出し／書き込み可能な記憶媒体を利用してもよい。
○  カードスロットは、ＩＣカードの記憶媒体（ＩＣチップ）と接続可能であれば挿脱可能なものに限定されず、他の方式により接続されるものであってもよい。
○  個人情報を記憶する外部記憶媒体の態様は、個人情報を記憶して携帯電話機と接続／取り外し可能であればカードに限定されず、例えばスティック状のものであってもよい。この場合、記憶媒体を携帯電話機に接続させる接続手段は、カードスロットに限定されず、記憶媒体に対応したものであってよい。
○  本発明に係る携帯電話装置は、電話機能を有する携帯装置であれば、その態様は限定されない。
【００４６】
【発明の効果】
以上のように、本発明は、書き込み／読み出し手段が、外部記憶媒体に接続手段を介して個人情報を書き込むと共に外部記憶媒体から接続手段を介して所要の個人情報を読み出し、制御手段が、読み出された個人情報に基づいて携帯電話装置の動作を制御する。
このことにより、携帯電話装置の動作を制御するための個人情報を外部記憶媒体に記憶させることができる。このため、外部記憶媒体を利用者の人数分用意することで、１台の携帯電話装置を複数の利用者が個別に利用でき、プライバシー保護やセキュリティの確保を好適に行うことができる。
【００４７】
また、外部記憶媒体に記憶される個人情報が、メールアドレスと、該メールアドレスによるメールの送受信に関して利用者個人に関連づけられて携帯電話装置または外部記憶媒体に保存される全ての情報を含み、その外部記憶媒体が接続手段に接続されていない場合には、その個人情報を制御手段が携帯電話装置に保持しない。
このことにより、携帯電話装置の動作を制御するための上記個人情報の全てを外部記憶媒体のみに記憶させ、携帯電話装置に残さないようにすることができる。このため、外部記憶媒体を利用者の人数分用意することで、１台の携帯電話装置を複数の利用者が個別に利用でき、プライバシー保護やセキュリティの確保を好適に行うことができる。
【００４８】
また、外部記憶媒体に記憶される個人情報が、電話番号と、該電話番号での通話に関して利用者個人に関連づけられて携帯電話装置または外部記憶媒体に保存される全ての情報を含み、その外部記憶媒体が接続手段に接続されていない場合には、その個人情報を制御手段が携帯電話装置に保持しない。
このことにより、携帯電話装置の動作を制御するための上記個人情報の全てを外部記憶媒体のみに記憶させ、携帯電話装置に残さないようにすることができる。このため、外部記憶媒体を利用者の人数分用意することで、１台の携帯電話装置を複数の利用者が個別に利用でき、プライバシー保護やセキュリティの確保を好適に行うことができる。
【００４９】
また、制御手段は、外部記憶媒体が接続手段に接続されていないと、携帯電話装置の電源をＯＦＦにするため、外部記憶媒体が接続されていない場合の携帯電話装置の使用を確実に禁止することができる。
このため、１台の携帯電話装置を複数の利用者が個別に利用しても、プライバシー保護やセキュリティの確保を好適に行うことができる。
【００５０】
また、外部記憶媒体がＩＣチップが実装された記憶機能付きカードであるため、記憶媒体として高い機密性を確保することができる。このため、記憶する個人情報のデータセキュリティを高次元に確保することができる。
【図面の簡単な説明】
【図１】本発明の実施形態としての携帯電話機に、ＩＣカードを挿入しない状態での外観の概略を示す斜視図である。
【図２】本発明の実施形態としての携帯電話機に、ＩＣカードを挿入した状態での外観の概略を示す斜視図である。
【図３】本発明の実施形態としての携帯電話システムにおけるＩＣカードが挿入された状態での構成の概要を示すブロック図である。
【図４】初期状態でのＩＣカードとそのＩＣチップの記憶情報を示す図である。
【図５】利用を重ねた状態のＩＣカードとそのＩＣチップの記憶情報を示す図である。
【図６】図５の状態から、グループ２に新規に電話番号とメールアドレスとを登録した状態のＩＣカードとそのＩＣチップの記憶情報を示す図である。
【図７】本発明の実施形態としての携帯電話システムの動作を例示するフローチャートである。
【符号の説明】
Ａ  携帯電話機（携帯電話装置）
Ａ１  カードスロット（接続手段）
Ａ２  データ読み書き部（書き込み／読み出し手段）
Ａ３  制御部（制御手段）
Ａ４  装置側記憶部
Ａ５  入力部
Ａ６  表示部
Ｂ  ＩＣカード（記憶機能付きカード）
Ｂ１  ＩＣチップ（カード側記憶部）
１１  自局電話番号
１２  自メールアドレス
１３  発着信履歴
【図１】
2004172885.tif 000003
【図２】
2004172885.tif 000004
【図３】
2004172885.tif 000005
【図４】
2004172885.tif 000006
【図５】
2004172885.tif 000007
【図６】
2004172885.tif 000008
【図７】
2004172885.tif 000009